(57)【要約】【課題】光学部品の相対的な位置決めを精度良く行うことが可能な撮像装置を提供すること。【解決手段】複数の反射ミラーと、固定レンズと、インナーホルダーを有するファインダーと、表示パネルを有する撮像装置において、前記インナーホルダーには、前記複数の反射ミラーと前記固定レンズを位置決めするための位置決め部を有することを特徴とする。【選択図】図６
2016133694.tif 000002
【特許請求の範囲】
【請求項１】
複数の反射ミラーと、固定レンズと、インナーホルダーを有するファインダーと、表示パネルを有する撮像装置において、前記インナーホルダーには、前記複数の反射ミラーと前記固定レンズを位置決めするための位置決め部を有することを特徴とする撮像装置。
【請求項２】
前記ファインダーは表示パネルに対し着脱可能に取り付けられていることを特徴とする請求項１に記載の撮像装置。
【請求項３】
固定レンズは弾性部材により、前記固定部品に設けられた、位置決めリブに押し当てられていることを特徴とする請求項１又は請求項２に記載の撮像装置。
【発明の詳細な説明】
【技術分野】
【０００１】
本発明は、ビデオカメラ等の撮像装置のビューファインダーに関する。
【背景技術】
【０００２】
近年、ビデオカメラ等の撮像装置の分野では小型化と高機能化が急速に進み、ユーザーの使い勝手が向上している。液晶モニターをファインダー（接眼タイプ）とモニターに兼用する構成が提案されている。すなわち、２〜４インチ程度の液晶モニターに接眼レンズ部を装着することにより兼用を可能にしている。その一例として、表示画面が露出するようにして撮像装置の所定位置に設けられている表示パネルに着脱自在に装着でき、ファインダー装着時に表示画面の画像を光学系により縮小して出力するビューファインダーが提案されている。
【０００３】
上記ファインダーの光学系として、第１の反射ミラーと、第１の反射ミラーに対して平行に配置されると共に第１の反射ミラーからの光束を第１の反射ミラーの入射光に平行する方向に反射させる第２の反射ミラーと、第２の反射ミラーからの光束を所定位置に結像させる凹、凸の組合せによる接眼レンズと、を含む撮像装置のビューファインダーが提案されている（特許文献１）。特許文献１では、上記第１の反射ミラーは第１の外装カバーに固定され、上記第２の反射ミラーは第２の外装カバーに固定され、固定接眼レンズはレンズホルダーにそれぞれ固定されている。また、前記第１、第２の反射ミラーは反射面と反対の面がカバーに固定されている。
【先行技術文献】
【特許文献】
【０００４】
【特許文献１】特開平１１−１９６３０２号公報
【発明の概要】
【発明が解決しようとする課題】
【０００５】
しかしながら、上記特許文献１のような、光学部品の取り付け構造では、部品寸法のバラつきと、組み立てのバラつきにより、ミラーを含めた光学部品の相対的な位置決めを、精度よく行うことができないという課題があった。
【０００６】
本発明の目的は、光学部品の相対的な位置決めを精度良く行うことが可能な撮像装置を提供することにある。
【課題を解決するための手段】
【０００７】
上記の目的を達成するために、本発明は、複数の反射ミラーと、固定レンズと、インナーホルダーを有するファインダーと、表示パネルを有する撮像装置において、前記インナーホルダーには、前記複数の反射ミラーと前記固定レンズを位置決めするための位置決め部を有することを特徴とする。
【０００８】
また、本発明の他の特徴とするところは、請求項１に記載の撮像装置において、前記ファインダーは表示パネルに対し着脱可能に取り付けられていることを特徴とする。
【０００９】
また、本発明のその他の特徴とするところは、固定レンズは弾性部材により、前記固定部品に設けられた、位置決めリブに押し当てられていることを特徴とする。
【発明の効果】
【００１０】
本発明の撮像装置によれば、第１の反射ミラーと第２の反射ミラーを固定部品に対し反射面側を固定し、更には、第１の反射ミラーと第２の反射ミラーと固定レンズを１つの固定部品に対し位置を決めることにより、部品のバラつきと組み立てのバラつきを減らすことができる。これにより、光学部品の相対的な位置決めを精度良く行うことが可能となる。
【図面の簡単な説明】
【００１１】
【図１】撮像装置の正面側斜視図
【図２】撮像装置のファインダー分解状態の背面側斜視図
【図３】撮像装置の背面側斜視図
【図４】ファインダー側面斜視図
【図５】ファインダー斜視図
【図６】ファインダー断面図
【図７】ファインダー内部部品斜視図
【図８】ファインダー内部部品斜視図
【図９】ファインダー内部部品分解斜視図
【図１０】インナーホルダー斜視図
【図１１】ファインダー内部部品断面図
【発明を実施するための形態】
【００１２】
以下、本発明を実施するための形態を図面に基づいて説明する。
【００１３】
＜第１の実施形態＞
本実施形態における撮像装置において、レンズ（前玉）側から見た面を正面、正面と対向する面を背面、正面から見て右側の面を右側面、正面から見て左側の面を左側面、正面から見て上側の面を上面、正面から見て下側の面を底面、と各々称する。
【００１４】
（撮像装置本体の説明）
本発明の実施例について図を参照しながら説明する。図１は本発明の撮像装置１００を示しており、前記撮像装置１００を左側面上方から見た斜視図である。
【００１５】
図１に示すように、前記撮像装置１００は、本体部１０１、グリップ部１０２、着脱ファインダー部１０３から構成されている。
【００１６】
初めに、前記本体部１０１について説明する。前記本体部１０１には撮像レンズ１０４が接続され、本体内部には不図示の撮像センサー、ＭＡＩＮ基板等が配置されている。また、本体の上面側には、音声を記録するためのマイク１０５が配置され、更に、外部マイクや、ストロボ、ビデオライト等のアクセサリを接続するためのアクセサリーシュー１０６が配置されている。
【００１７】
次に、グリップ部１０２について説明する。前記グリップ部１０２は、前記本体部１０１に回動自在に取り付けられ撮影者が自由にグリップの位置を変更することができる。また、前記グリップ部１０２には、撮影時に操作するキーや撮像装置の電源キー等が上面及び背面に配置されている。
【００１８】
次に、図２、図３を用いて着脱ファインダー部１０３について説明する。図２及び図３は、前記撮像装置１００を右側面上方から見た斜視図である。
【００１９】
図２は前記着脱ファインダー部１０３を取り外した状態を示している。前記本体部１０１の背面側には、前記撮像レンズ１０４によって得た映像を表示するための表示パネル２０１が配置されている。この表示パネル２０１に対し前記着脱ファインダー部１０３が着脱可能に配置されている
図３は前記本体部１０１から着脱ファインダー部１０３を取り付けた状態を示している。図に示す、ロックノブ３０１の操作により前記着脱ファインダー部１０３をモニタに固定することができる。
【００２０】
次に、着脱ファインダー部１０３の詳細について図４、５を用いて説明する。図４、５に示す前記着脱ファインダー部１０３は外装の上面側を覆うＥＶＦ−ＴＯＰカバー４０１と外装の背面から底面側を覆うＥＶＦ−ＢＯＴＴＯＭカバー４０２と接眼部を覆うアイカップ４０３と、前記撮像装置本体と接続するための前記ロックノブ３０１と図５に示す、ＥＶＦ−Ｆカバー５０１により外装が構成されている。
【００２１】
次に、図６を用いて前記着脱ファインダー部１０３の内部構造について説明する。図６は着脱ファインダー部１０３を光軸を通る垂直な平面で切った断面である。
【００２２】
前記表示パネル２０１に表示された映像は、矢印で簡易的に示したように、光線が進む。まず、第１の反射ミラー６０１により光線が反射する。その光線が第２の反射ミラー６０２に反射する。更に、この光線が凹レンズで形成された、固定レンズ６０３と凸レンズにて形成された可動レンズ６０４を通り、撮影者の目に光線が届く。また、前記可動レンズ６０４は、可動レンズホルダー６０６により保持されている。前記第１の反射ミラー６０１及び前記第２の反射ミラー６０２は銀やアルミ等の蒸着膜により反射面が形成されており、本発明ではガラスの表面に蒸着膜を形成している。
【００２３】
図７、８は外装カバーを取り外した、内部部品を示した図であり、前記ＥＶＦ−ＴＯＰカバー４０１、ＥＶＦ−ＢＯＴＴＯＭカバー４０２、アイカップ４０３、ロックノブ３０１、ＥＶＦ−Ｆカバー５０１を非表示にした状態である。
【００２４】
図７は右側面を下側から見た図であり、図８は左側面を上側から見た図である。図に示す前記第１の反射ミラー６０１は前記インナーホルダー６０７に外側から固定されている。これは、第１の反射ミラー６０１に形成されたアルミ蒸着膜はガラスの表面に形成されており、この蒸着面を前記インナーホルダー６０７に固定することにより、ガラス面の屈折や、更には、前記第１の反射ミラー６０１の厚み公差による光線への影響をなくすことができる。
【００２５】
同様に図８に示す前記第２の反射ミラー６０２も前記インナーホルダー６０７に外側から固定されていることにより、前記第２の反射ミラー６０２の厚み公差による光線への影響をなくすことができる。
【００２６】
以上説明したように、前記インナーホルダー６０７に第１の反射ミラー６０１と第２の反射ミラー６０２の蒸着面側を固定することにより、部品の厚み公差による光線への影響をなくすことができる。
【００２７】
次に、前記固定レンズ６０３の固定について図９、図１０、図１１を用いて説明する。図９は図７に示した内部部品図を分解して示した斜視図である。
【００２８】
図９に示すように、前記固定レンズ６０３と前記固定レンズホルダー６０５の間には弾性部材９０１が挟まれて配置されている。前記弾性部材９０１は、中心部に穴のあいた枠形状となっており、前記固定レンズ６０３の外周部に当接している。
【００２９】
次に図１０に、前記インナーホルダー６０７の単体図を示す。図に示す、前記インナーホルダー６０７には前記固定レンズ６０３の位置を決めるための、固定レンズ受けリブ１００１が設けられている。また、第１の反射ミラー固定部１００２は、前記第１の反射ミラー６０１の反射面を位置決めするための形状である。また、第２の反射ミラー固定部１００３は、前記第２の反射ミラー６０２の反射面を位置決めするための形状である。
【００３０】
次に、図１１は図６の断面図を、接眼部から第２の反射ミラー６０２までを拡大表示した図を示している。前記固定レンズ６０３は図中に矢印で示したように、前記弾性部材９０１により、前記可動レンズ６０４側に押しつけられている。このとき、前記固定レンズ受けリブ１００１に前記固定レンズ６０３が押しつけられることにより、前記固定レンズ６０３は前記インナーホルダー６０７に対し位置が決まる。
【００３１】
また、前記可動レンズ６０４が保持された、前記可動レンズホルダー６０６は、前記インナーホルダー６０７に上下左右の４面に配置された可動レンズ位置決めリブ１１０１により上下左右の位置が決められ、前後方向にのみ移動が可能となる。この前後の移動により、使用者の視度に合わせて調整することができる。
【００３２】
以上説明したように、前記第１の反射ミラー６０１と第２の反射ミラー６０２と固定レンズ６０３を前記インナーホルダー６０７に対し位置を決めて固定することにより、部品のバラつきと、組み立てのバラつきを減らすことができる。これにより、光学部品の相対的な位置決めを精度良く行うことが可能となる。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３４】
１００  撮像装置、１０１  本体部、１０２  グリップ部、
１０３  着脱ファインダー部、１０４  撮像レンズ、１０５  マイク、
１０６  アクセサリーシュー、２０１  表示パネル、４０１  ＥＶＦ−ＴＯＰカバー、
４０２  ＥＶＦ−ＢＯＴＴＯＭカバー、４０３  アイカップ、３０１  ロックノブ、
５０１  ＥＶＦ−Ｆカバー、６０１  第１の反射ミラー、６０２  第２の反射ミラー、
６０３  固定レンズ、６０４  可動レンズ、６０５  固定レンズホルダー、
６０６  可動レンズホルダー、６０７  インナーホルダー、９０１  弾性部材、
１００１  固定レンズ受けリブ、１００２  第１の反射ミラー固定部、
１００３  第２の反射ミラー固定部、１１０１  可動レンズ位置決めリブ
【図１】
2016133694.tif 000003
【図２】
2016133694.tif 000004
【図３】
2016133694.tif 000005
【図４】
2016133694.tif 000006
【図５】
2016133694.tif 000007
【図６】
2016133694.tif 000008
【図７】
2016133694.tif 000009
【図８】
2016133694.tif 000010
【図９】
2016133694.tif 000011
【図１０】
2016133694.tif 000012
【図１１】
2016133694.tif 000013